(57)【要約】      （修正有）【課題】設置場所を自由にでき、部屋の換気も必要がなく手軽に使用出来る暖房機器を、同じ電気を使うシーズヒーターなどの電熱線式ではない方法で、伝熱線式の暖房機よりもより使い勝手のよい暖房機器を提供する。【解決手段】ＩＨコイル２の両面にＩＨコイル２により誘導加熱される磁性材３、５を設けたことを特徴とし、ＩＨコイル一つで両面の磁性材３、５を発熱させることが出来る。なお、ＩＨコイル２は磁界を弱めないＦＲＰで囲む、又は被われてＩＨコイル２後方の磁性材３には同じ磁性材からなる熱伝導部４を上下２つに分けて磁性材３に密着して設けている。この磁性材３と熱伝導部４は空気の吸い込み口９から吹き出し口１０まで筒状の隔壁８により囲まれている。【選択図】図１
0003165133.tif 000002
【実用新案登録請求の範囲】
【請求項１】
暖房機器の発熱源として、電磁誘導コイルと前記電磁誘導コイルにより誘導加熱される磁性材を用いたことを特徴とするＩＨ式暖房機器。
【請求項２】
電磁誘導コイルの周囲、又は両面に磁性材を設けたことを特徴とする請求項１記載のＩＨ式暖房機器。
【請求項３】
暖房機器に設置した電磁誘導コイル及び磁性材の数量を、いずれか一方を二つ以上、又は双方を二つ以上としたことを特徴とする請求項１，２記載のＩＨ式暖房機器。
【請求項４】
暖房機器内の発熱した磁性材ごとに、暖房方法、又は熱利用方法を変えたことを特徴とする請求項１，２，３記載のＩＨ式暖房機器。
【請求項５】
発熱した磁性材により暖められた空気を温風として吹き出す過程で、湿度を加えたことを特徴とする請求項４記載のＩＨ式暖房機器。
【請求項６】
容器状又は管状の磁性材の内側周囲に電磁誘導コイルを設け、前記容器状磁性材の中に磁性材からなる容器を前記電磁誘導コイルに接して出し入れ自由に配置し、両容器が同時に誘導加熱されることを特徴とする請求項１，２、３記載のＩＨ式暖房機器。
【請求項７】
電磁誘導コイルに対し磁性材を取り付け、取り外し自由にしたことを特徴とする請求項１，２，３，４，５記載のＩＨ式暖房機器。
【請求項８】
磁性材を取り外した電磁誘導コイルを調理器として使うことを特徴とする請求項１，２，３，４，５及び７記載のＩＨ式暖房機器。
【請求項９】
磁性材を誘導加熱するためにＩＨ調理器の電磁誘導コイルを用いたことを特徴とする請求項１，２，３、４及び７記載のＩＨ式暖房機器。
【考案の詳細な説明】
【技術分野】
【０００１】
本考案は、電磁誘導加熱により磁性材を誘導加熱させて暖房機の発熱源とする電磁誘導加熱式暖房機器に関する。
【背景技術】
【０００２】
暖房専用の暖房機は、従来より燃料又は電気を熱源として用いてきた。燃料としては、灯油又はガスを燃やして熱源とし、電気では電熱線に通電して、電熱線自体を発熱させて熱源として、暖房機の熱源としては、ヒートポンプ式、灯油又はガスなどの燃料を燃やす、又は電熱線に通電して電熱線自体を発熱させる方法などがある。一方、調理器の分野ではＩＨコイルを用いた調理器がシーズヒーターなどの電熱線式の熱源や天然ガス燃料に代わって一般家庭に普及してきた。
【先行技術文献】
【特許文献】
【０００３】
【特許文献１】特開２０１０−２０６４号公報
【特許文献２】特開２００９−２２９０６１号公報
【特許文献３】特開２００３−１５６２１４号公報
【考案の概要】
【考案が解決しようとする課題】
【０００４】
従来のヒートポンプ式による方法は室内と室外に設置する場合が多く設置場所が限られる問題があった。又、灯油やガスなどの燃料を燃やす暖房機は換気設備のない場合は勿論、換気の為の配管を家屋の外側に出しても一酸化炭素中毒や火災などの危険性が払拭されなかった。また、電気により電熱線を発熱させる方法は燃料に比べ危険性が少なく安全な暖房機を提供できるが、発熱源は電熱線の部分だけあり熱を利用する効率が限られていた。
【０００５】
本案はヒートポンプ式などの室外機を伴った暖房機や換気の為に配管を取り付け固定して設置される暖房機ではなく、部屋の中での移動が出来る。又は設置場所を自由にできて、部屋の換気も必要がなく手軽に使用出来る暖房機器を、同じ電気を使うシーズヒーターなどの電熱線の発熱源ではない方法で提供し、シーズヒーターなどの熱源を持つ暖房機よりも使い勝手のよい暖房機器の提供を目的とする。また、ＩＨ調理器同様に使用者の選択肢を広げることも目的とする。
【課題を解決するための手段】
【０００６】
コイルに電流を流し、そこで発生する磁力線により渦電流を発生させ磁性材を発熱させる電磁誘導加熱の方式を利用して発熱させた磁性材を暖房機器の発熱源とする。
【考案の効果】
【０００７】
本考案の電磁誘導加熱装置を発熱源として装備した暖房機器は、温風を使い分けることが可能になる。また、温風と輻射熱の両方の暖房を一台の暖房機器で行えるなど幅広い暖房方法に適用できる。また、磁性材内部をオーブン風に利用することも可能となる。さらに、ＩＨ調理器としても活用できる。
【図面の簡単な説明】
【０００８】
【図１】図１は第１実施例の温風暖房機の主要部の説明図である。
【図２】図２は第１実施例の熱伝導部の説明図である。
【図３】図３は第１実施例の外観図である。
【図４】図４は第２実施例の主要部の説明図である。
【図５】図５は第２実施例の水タンクの説明図である。
【図６】図６は第３実施例の主要部の説明図である。
【図７】図７は第３実施例の外観図である。
【図８】図８は第４実施例の主要部の説明図である。
【図９】図９は第５実施例のパネル式暖房機の正面図である。
【図１０】図１０は第５実施例の側面図である。
【図１１】図１１は第６実施例のストーブ型暖房機の要部説明図である。
【図１２】図１２は第６実施例の外観図である。
【図１３】図１３は第７実施例の輻射式暖房機の説明図である。
【図１４】図１４は第７実施例の正面図である。
【考案を実施するための形態】
【０００９】
電磁誘導コイル(以下、ＩＨコイルとする)と前記ＩＨコイルに電流を流して発生する磁力線により誘導加熱される磁性材を組み合わせて暖房の熱源とする。この組み合わせは様々な形状と構造を提供出来る為多くの暖房機器に適用できるが、実施例としては代表的な例を以下に説明する。
【実施例１】
【００１０】
図１から図３は、本考案の第１実施例である。図１は温風暖房機の要部の構造を示す説明図であり、図２は熱伝導部４の説明図である。図３は本実施例の外観図である。ＩＨコイル２の両面にＩＨコイル２により誘導加熱される磁性材３と５を設けたことを特徴とし、ＩＨコイル一つで両面の磁性材３と５を発熱させることが出来る。なお、ＩＨコイル２は磁界を弱めないＦＲＰので囲む、又は被われてＩＨコイル２後方の磁性材３には同じ磁性材からなる熱伝導部４を上下２つに分けて磁性材３に密着して設けている。この磁性材３と熱伝導部４は空気の吸い込み口９から吹き出し口１０まで筒状の隔壁８により囲まれている。
【００１１】
図２は隔壁８内の熱伝導部４を説明した図である。熱伝導部４内は伝熱性能を高める為網目状のフィン構造になっており、通る空気が発熱した磁性材３により熱せられた広い面積の前記網目状フィンに触れることで効率良く熱せられる構造となっている。
【００１２】
吸い込み口９からフィルター７を通った空気は熱せられた熱伝導部４を通る過程で暖められファン６により吹き出し口１０から温風として吹き出される。一方、ＩＨコイル２前面の磁性材５は、熱を前面に放射する。なお、ファン６の風量は任意に変えることが出来る。
【００１３】
図３は本実施例の温風暖房機の外観図である。この温風暖房機は温風と共に磁性材５の熱を前方に放射出来ることを特徴としている。また、磁性材５の前には凹部１１があるので小容器を凹部１１部分において暖める事も出来る。また、温風暖房機外側ケース１には内部の熱を逃がす為に通風口１２と１３を設けている。尚、磁性材５及び凹部１１の面に遠赤外線を発生する塗料、又は石、炭素系物質などを自由に設けてよい。
【００１４】
以上の如く本実施例は、温風と共に暖炉やストーブのような輻射熱も加わる暖房機を提供出来る。なお、ＩＨコイル２及び温度検知手段などを制御する制御手段、操作手段は任意に装備してよい。
【実施例２】
【００１５】
図４は第２実施例の主要部の説明図である。第１実施例の磁性材５と凹部１１の使い方を発展させたもので、凹部１１に水タンク１５を配置し磁性材５の熱により水タンク１５内の水を沸かし、その蒸気を隔壁８内に噴出させることを特徴とする。なお、隔壁８には水タンク１５の蒸気吹き出し口１９が挿入できる穴を開けてある。
【００１６】
図５は水タンク１５の説明図である。上蓋１６は水を補給する為に取り外せるようになっており、上部のストッパー１８はバネ１７により上に押し上げられている。ストッパー１８と蒸気吹き出し口１９は一体となっているため、ストッパー１８を押しさげると蒸気吹き出し口１９も下がる。これにより凹部１１に取り付ける場合はストッパー１８を押しさげながら蒸気吹き出し口１９を隔壁８内に挿入し手を離せばストッパー１８がバネ１７により押し上げられて隔壁８に当たり固定される。なお、水タンク１５内の水量は透明な水位確認窓２０により確認出来る。
【００１７】
これにより、熱伝導部４を通り暖められ乾燥した空気に蒸気が混入し、湿度が高められた温風として吹き出し口１０より吹き出すことが出来る。尚、温風暖房機外側ケース１は実施例１と同じでよい。また、水タンク１５を外せば磁性材５の熱を輻射熱として温風と共に暖房に利用出来る。
【実施例３】
【００１８】
図６は本考案の第３実施例の主要部の説明図で、図７は外観図である。ＩＨコイル２の前後両面に磁性材３と熱伝導部４を設け温風の量と使い道を増やしたことを特徴とする。導風板２１及び仕切り板２２は隔壁８の横幅と同じ幅で設けられている。仕切り板２２は上下出来る構造となっている。ファン６により吸い込み口９より吸い込まれた空気は、導風板２１によりＩＨコイル２前後の二つの網目状の熱伝導板４に均等に送られ、暖められて吹き出し口１０より温風として吹き出される。これによりＩＨコイルの片面だけ使う場合に比べ取り入れた空気を暖める効率を向上させることができ、さらに温風の風量も多くすることが出来る。なお、この時は仕切り板２２は上に上がっており、後側の熱伝導板４を通って来る温風も吹き出し口１０より吹き出される。
【００１９】
また、図６の仕切り板２２を下ろして後方の温風を遮ることで、前部の熱伝導部４からの温風は通常どり吹き出し口１０から吹き出し、後部の温風は図７で示すようにホース取り付け部２３に先端にアタッチメント２５を取り付けた延長ホース２４を取り付けることで、他の場所や寝具などに温風を送ることが出来る。なお、このアタッチメント２５は目的に応じて形状の異なるものを交換して用いることが出来る。また、延長ホース２４の長さ、太さなども任意にしてよい。
【００２０】
また、凹部１１に面した熱伝導部４からは熱を放射できるので、実施例１同様に温風と輻射熱を利用して暖めることも出来る。また、凹部１１に暖める、又は保温する物を置くこともできる。
【００２１】
このように、本実施例では１台の暖房機で同時に２通りの温風の使い方が可能になり、さらに輻射熱を加えた暖房と小容器の暖めも出来る。
【実施例４】
【００２２】
図８は本考案の第４実施例の主要部の説明図である。実施例１ではＩＨコイル２一つで温風と輻射熱を放出したが、本実施例では温風に使うＩＨコイル２とは別のに反射式暖房用のＩＨコイル２６と磁性材２７を備えたことを特徴とし、電源のスィッチも図示していないがそれぞれ個別に備えている。前記ＩＨコイル２６は周りを磁性材２７で囲んだもので、このＩＨコイル２６により誘導加熱された磁性材２７から熱が周囲に放射される。磁性材２７後部からの熱は反射板２８により反射熱として前方に放射できる。さらに、これに加え実施例１同様にＩＨコイル２を用いて磁性材３を発熱させ、この熱を伝えた熱伝導部４により取り入れた空気を暖めて吹き出し口１０より温風を吹き出すことができる。なお、これらのＩＨコイル２及び２６は別々に電力を入れることが出来る構造となっている為、状況によって温風のみを使う事もできるし、放射及び反射式の暖房機としてのみ使うこともできる。
【実施例５】
【００２３】
図９は第５実施例であるパネル式暖房機の正面図であり、図１０は側面図である。平面状のＩＨコイル２９と平面状の磁性材３４だけのシンプルな構造のパネル式暖房機である。図９は磁性材３４を付けない状態を説明したもので、ＩＨコイル２９はフェライトコア３１により周囲を囲まれている。フェライトコア３１の４隅には磁石３２を取り付けてある。ＩＨコイル２９の中心には温度センサー３０を設けこれらの制御及び操作はコントローラー３３で行えるようになっている。
【００２４】
ＩＨコイル２９は上下左右だけでなく図１０の如く裏側もフェライトコア３１で被われている。これにより磁界が後方へ伝搬する事を防ぎ、且つ磁界を前方に集中させることが出来る。磁性材３４はフェライトコア３１の４隅に取り付けられた磁石３２により図１０の如くＩＨコイル２９に接して取り付けて発熱させ、その熱を前方に放射する。尚、より暖房効果を発揮させるため、磁性材３４の表面に遠赤外線を発生する塗料、又は材質を設けることは自由にしてよい。また、本実施例の特徴は磁性材３４の取り付け取り外しが自由に簡単に行える点である。これにより、磁性材３４を外しＩＨコイル２９面が水平になるように暖房機を倒し下側になるフェライトコア３１部分を台で支え安定させれば、調理器としても利用出来る。
【実施例６】
【００２５】
図１１は第６実施例のストーブ型暖房機の要部説明図で図１２は外観図である。従来の薪や石炭などを燃やして放熱するストーブの代わりになるもので、特徴は磁性材を外板３５と容器３７に用いていることである。円筒形の外板３５の内側にはＩＨコイル３６を上下に３分割にして外板３５に接して設けている。そして、図１１の上部にある容器３７を外板３５とは反対側のＩＨコイル３６の面に接するように暖房機内に配置する。つまり、外板３５と容器３７でＩＨコイル３６を挟み込む状態となる。これにより、ＩＨコイルに通電すると外板３５が誘導加熱され発熱し、従来のストーブのように周囲に熱を放射することができる。又、同時に内部の容器３７も誘導加熱され発熱できる。この容器３７が発熱することで従来のストーブにはない種々な使い方を提供できるようになる。例えば、調理道具の鍋みたいに使う事もできるし、インド料理のナンも容器３７の内面を利用して焼くこともできる。また、オーブン機能も有するので種々なオーブン料理や蒸し焼き料理も作ることが可能になる。また、通常は図１２の如く蓋３８を閉じて使うので、この上でもヤカンで湯を沸かし、その蒸気で冬の乾燥した部屋に湿度を加えることもできる。なお、容器３７は取り付け取り外しが自由にできるので容器３７や暖房機の掃除などが簡単に行える。
【実施例７】
【００２６】
図１３は第７実施例の卓上型ＩＨ調理器のＩＨコイルを利用した輻射式暖房機の説明図である。台４２の上に板状の磁性材４０を固定枠４１により前方に倒れない用に配置し、その後にＩＨ調理器３９を固定する。固定の仕方は押さえ板４３を動かしてＩＨ調理器３９に合わせ磁性材４０の方へ押しつけたところで止めネジ４４とワッシャー４５により台４２に押さえ板４３を固定することでＩＨ調理器３９を磁性材４０に押しつけて固定することが出来る。
【００２７】
図１４は本実施例の正面図である。磁性材４０は後のＩＨ調理器３９のＩＨコイル部分の前に位置しており、両側の固定枠４１により固定されている。ＩＨ調理器３９の操作部４６は台４２及び固定枠４１の外にでている。これにより発熱した磁性材４０の熱を受けずに済み、操作も自由にすることが出来る。また、この暖房機はＩＨ調理器３９に備わっている温度検知機能と制御機能を使うことができるため細かな温度設定が可能になる利点もある。なお、磁性材４０の表面に遠赤外線を発生する装備を設けてもよい。また、磁性材４０は取り外しができるのでＩＨ調理器３９共々使わない時は台４２から外して収納出来る。
【００２８】
このように、卓上型又は持ち運び可能なＩＨ調理器であれば発熱する磁性材と組み合わせることで簡単な輻射式の暖房機を提供できＩＨ調理器の活用範囲を広げることが可能になる。
【００２９】
以上、代表的なＩＨ式暖房機器の実施例を説明したが本考案はＩＨコイルと誘導加熱される磁性材との組み合わせにより発熱源とすることを特徴としているので、ＩＨコイルと磁性材を使用していれば上記実施例に限らず、ＩＨコイルと磁性材の数量、形状、構造及び材質などは任意に用いてよい。また、ＩＨコイルは磁界を弱めず耐熱性を有する材質、例えばＦＲＰなどで囲む、又は被うなど自由にしてよい。これによりＩＨコイルの耐久性を高めることが出来る。また、ＩＨコイル用の高周波電流や発熱部の温度などを制御する制御手段とこれらの操作手段なども実施例１同様に機種毎に自由に設計、装備してよい。
【００３０】
また、上記実施例の他、磁性材である管や筒、又は容器の外側の任意の場所にＩＨコイルを巻き付けて設け、前記管や筒又は容器を誘導加熱させて発熱部とし、中に空気を通し暖めて吹き出す温風式としてもよい。また、前記管や筒、又は容器などの磁性材からなる発熱部の中に網状、格子状、又は綿状などの熱伝導材質を設けてもよい。これにより空気を暖める際の熱伝導の効率を上げることができる。なお、この熱伝導材質も上記実施例の磁性材に限らず熱伝導率の良い銅などの材質を自由に設けることが出来る。なお、この時のＩＨコイルは前記発熱部の任意の場所に数量、形状、設置方法も自由に設けることが出来る。
【００３１】
また、上記の管や筒、容器などの空気を暖める温風方式において、空気の代わりに水を暖める温水式とすることも任意にして良い。これにより、暖めた温水を外部の様々な暖房用として使うことができる。例えば、これを実施例３のＩＨコイル２後部に適用すれば温風を暖房機前方に吹き出し、温水は延長ホース２４を通して暖房機外の別の場所に暖房用として供給することができる。
【００３２】
また、上記とは反対に磁性材である管や筒又は容器内にＩＨコイルを設けることで、前記管や筒又は容器を発熱源とし、この熱を利用して輻射式又は反射式の暖房機に使用する事が出来る。このうち容器については代表的な例を実施例６で説明したが、これらの形状は実施例６だけでなく自由にしてよい。
【００３３】
また、実施例４のＩＨコイル２６のように、ＩＨコイルの周囲を磁性材で囲むことで筒状、棒状又は球状の発熱源とする事も出来る。例えば、この磁性材の形状を薪や炭の形にすれば暖炉で燃やす薪の代わりになり煙の出ない暖炉を提供することが出来る。さらに固定された暖炉だけでなく移動可能な暖炉型暖房機とすることもできる。
【００３４】
また、上記実施例１から４の凹部１１の前面、又は実施例５の磁性材３４の前面に、網状、又は格子状の扉を付けることも任意にして良い。同様に実施例６でも外板３５の周囲に網状の柵で囲をすることも任意に出来る。これにより、子供などが火傷をする危険性を少なく出来る。また、実施例１では熱伝導部４の材質も発熱部３と一体となった磁性材であったが、熱伝導部４の材質を銅などの熱伝導の良い材質とすることも任意にしてよいし磁性材も電磁誘導加熱される材質ならば任意に適用してよい。また、本考案のＩＨコイルにより発熱する発熱部分と熱を反射又は放射する部分に遠赤外線を発生する塗料を塗布したり、石などの遠赤外線を発生する物質を設けることは実施例１以外にも自由にしてよい。これにより、より一層の暖房効果を与えることが出来る。
【００３５】
また、実施例７ではＩＨ調理器３９を横にしてＩＨコイルを利用した輻射式の一例を説明したが、これ以外にもＩＨ調理器を活用する暖房方法はあるのでその都度目的によって磁性材、又は磁性材と熱伝導部を種々な形状に組み合わせて使うことは自由にして良い。例えば磁性材の発熱部と熱伝導部とファンを備えた容器などとＩＨ調理器３９を組み合わせて温風暖房機とすることも出来る。なお、この際のＩＨ調理器３９の向きは水平でも垂直でも任意に出来る。また、水平にしたＩＨ調理器の上に磁性材をのせて、磁性材部分、又はＩＨ調理器全体を網などで被うことで足や手などを温める暖房機とすることも出来る。
【００３６】
また、上記のＩＨ調理器を活用した例とは反対に、ＩＨ式暖房機器の特徴として各暖房機がＩＨ調理器として活用出来る利点がある。このことは実施例５で説明したが、他の暖房機でも発熱部又は磁性材をＩＨコイルに取り付け取り外しが自由に出来る構造とすることで活用できる。例えば実施例１及び２では発熱部５を取り付け取り外し可能にし、暖房機を仰向けに倒しＩＨコイル２を水平にすることで簡単なＩＨ調理器としても使うことが出来る。なお、この際ファンの電源はＯＦＦにしておいてもよい。さらに、隔壁８の吸い込み口９及び吹き出し口１０の部分がＩＨコイル２と同一面になるように短くし、凹部１１を無くすことでＩＨコイル２部と暖房機前面が平面になりより一層使い勝手をよくすることが出来る。
【産業上の利用可能性】
【００３７】
1台の暖房機器を設置している部屋と別な場所にも同じ暖房機で温風を送ることが可能になる。また、平面状のＩＨコイルだけのＩＨ調理器とは違い、本考案は様々な形状と構造のＩＨコイル及び磁性材を提供出来るため、暖房機の種類を問わずに本考案の装置を装備出来る。
【符号の説明】
【００３８】
１  温風暖房機外側ケース                ２  ＩＨコイル
３  磁性材                              ４  熱伝導部
５  磁性材                              ６  ファン
７  フィルター                          ８  隔壁
９  吸い込み口                        １０  吹き出し口
１１  凹部                              １２  通風口
１３  通風口                            １４  操作部
１５  水タンク                          １６  上蓋
１７  バネ                              １８  ストッパー
１９  蒸気吹き出し口                    ２０  水位確認窓
２１  導風板                            ２２  仕切り板
２３  ホース取り付け部                  ２４  ホース
２５  アタッチメント                    ２６  ＩＨコイル
２７  磁性材                            ２８  反射板
２９  ＩＨコイル                        ３０  温度センサー
３１  フェライトコア                    ３２  磁石
３３  コントローラー                    ３４  磁性材
３５  外板                              ３６  ＩＨコイル
３７  容器                              ３８  蓋
３９  ＩＨ調理器                        ４０  磁性材
４１  固定枠                            ４２  台
４３  押さえ板                          ４４  止めネジ
４５  ワッシャー                        ４６  操作部
【図１】
0003165133.tif 000003
【図２】
0003165133.tif 000004
【図３】
0003165133.tif 000005
【図４】
0003165133.tif 000006
【図５】
0003165133.tif 000007
【図６】
0003165133.tif 000008
【図７】
0003165133.tif 000009
【図８】
0003165133.tif 000010
【図９】
0003165133.tif 000011
【図１０】
0003165133.tif 000012
【図１１】
0003165133.tif 000013
【図１２】
0003165133.tif 000014
【図１３】
0003165133.tif 000015
【図１４】
0003165133.tif 000016